(57)【要約】【課題】簡単な構造で防塵カバーに張力を付与できるようにして製作コストの低減を図ると共に、案内レールの外形寸法に与える影響を小さくする。【解決手段】上面から下面まで貫通するボルト挿通孔１４が軸方向に所定の間隔で複数箇所設けられた案内レール１と、該案内レール１の上面を軸方向に沿って覆う防塵カバー２０と、防塵カバー２０に張力を付与した状態で防塵カバー２０の端部を案内レール１の端面に固定する固定手段４０とを備えた直動案内軸受装置において、固定手段４０が、案内レール１の端面に該案内レール１の軸方向に螺合される張力調整ボルト４１を介して固定される第１の固定こま４２と、該第１の固定こま４２と案内レール１の端面との間に挟持されて防塵カバー２０の端部が連結される第２の固定こま４３とを備え、第１の固定こま４２と第２の固定こま４３との互いに対向する面にテーパ面４５，４６を設ける。【選択図】　　　図１
2004076821.tif 000002
【特許請求の範囲】
【請求項１】
両側部に転動体転動溝を有して軸方向に延長されると共に、上面から下面まで貫通するボルト挿通孔が軸方向に所定の間隔で複数箇所設けられた案内レールと、該案内レールの前記転動体転動溝に対向する転動体転動溝を有し、これらの両転動体転動溝間に挿入された多数の転動体の転動を介して前記案内レールに案内されて相対移動するスライダと、前記案内レールの上面を軸方向に沿って覆う防塵カバーと、該防塵カバーに張力を付与した状態で前記防塵カバーの端部を前記案内レールの端面に固定する固定手段とを備えた直動案内軸受装置において、
前記案内レールの少なくとも一方の端面側の固定手段が、該案内レールの端面に前記案内レールの軸方向に螺合されるボルトを介して固定される第１の固定こまと、該第１の固定こまと前記案内レールの端面との間に挟持されて前記防塵カバーの端部が連結される第２の固定こまとを備え、前記第１の固定こまと前記第２の固定こまとの互いに対向する面の内の少なくとも第１の固定こま側の面にテーパ面を設けたことを特徴とする直動案内軸受装置。
【請求項２】
前記ボルトを前記防塵カバーの幅方向に複数設けたことを特徴とする請求項１記載の直動案内軸受装置。
【発明の詳細な説明】
【０００１】
【発明の属する技術分野】
本発明は、例えば工作機械や搬送装置等の産業機械分野に用いられる直動案内軸受装置に関する。
【０００２】
【従来の技術】
従来のこの種の直動案内軸受装置としては、例えば図６に示すように、軸方向に延びる案内レール１と、該案内レール１上に軸方向に相対移動可能に跨架されたスライダ２とを備えたものが知られている。
案内レール１の両側面にはそれぞれ軸方向に延びる転動体転動溝３が形成されており、スライダ２のスライダ本体２Ａには、その両袖部４の内側面にそれぞれ転動体転動溝３に対向する転動体転動溝３１が形成されている。
【０００３】
そして、これらの向き合った両転動体転動溝３，３１の間には転動体としての多数のボールＢが転動自在に装填され、このボールＢの転動を介してスライダ２が案内レール１上を軸方向に沿って相対移動できるようになっている。
この移動につれて、案内レール１とスライダ２との間に介在するボールＢは転動してスライダ２の端部に移動するが、スライダ２を軸方向に継続して移動させていくためには、これらのボールＢを無限に循環させる必要がある。
【０００４】
このため、スライダ本体２Ａの袖部４内に更に軸方向に貫通する転動体通路８を形成すると共に、スライダ本体２Ａの前後両端にそれぞれ転動体循環部品としての一対のエンドキャップ５をねじ１２等を介して固定し、このエンドキャップ５に上記両転動体転動溝３，３１間と上記転動体通路８とを連通する半円弧状に湾曲した転動体循環部６を形成することにより、転動体無限循環軌道を構成している。なお、図において符号１０はスライダ本体２Ａの端面にエンドキャップ５をねじ止め固定するためのタップ穴、１１はサイドシール、１３は給脂用のグリースニップルである。
【０００５】
ところで、案内レール１には上面から下面に向けて貫通する複数のボルト挿通孔１４が軸方向に略等間隔で複数箇所形成されており、これらボルト挿通孔１４に挿通した固定ボルトをベッド等の固定部に螺合することにより案内レール１が固定される。従って、上記直動案内軸受装置を例えば工作機械の直線スライド部に利用した場合には、ワークの切削粉やワーク加工時に使用するクーラント等が上記ボルト挿通孔１４に入り込んで堆積し易く、スライダ２が案内レール１上を移動する際に切削粉やクーラント等の異物がスライダ２の内部に侵入してスライダ２の運動精度が損なわれる他、装置寿命が短くなるという問題がある。
【０００６】
このため、従来においては、案内レール１の上面を防塵カバーで軸方向に沿って覆って上記ボルト挿通孔１４へ異物が堆積しないようにしているが、このような防塵カバーの取り付け構造の一例として、特開平８−２１９１５２号公報に記載のものが提案されている。
この防塵カバー２０は、図７に示すように、その端部が固定手段３０によって案内レール１の端面に固定されるようになっている。固定手段３０は、案内レール１の端面にボルトを介して固定される固定部材３１と、防塵カバー２０の端部に連結されると共に固定部材３１の内部に軸方向に移動可能に収容された移動こま３２と、この移動こま３２を案内レール１の端部に締結する引張りボルト３３とを備えている。
【０００７】
そして、引張りボルト３３を締結すると、移動こま３２は固定部材３１の内部を案内レール１の端面に向けて軸方向に移動して防塵カバー２０が移動こま３２の移動量に応じて固定部材３１内に引き込まれ、これにより、案内レール１の上面を覆う防塵カバー２０に引張りボルト３３の締結量に応じた張力を付与するようにしている。
【０００８】
また、固定部材３１の案内レール１の軸方向と垂直な方向の断面形状は案内レール１の断面形状よりも幾分小さくなるように形成されているので、防塵カバー２０を案内レール１に装着した状態においてもスライダ２が固定部材３１に干渉することはなく、該スライダ２の案内レール１からの抜き差しを自由に行うことができる。追加で、案内レール１を機台に固定するのに一般的に設けられる肩（段差）に干渉することもない。
【０００９】
【発明が解決しようとする課題】
しかしながら、特開平８−２１９１５２号公報に記載の防塵カバーの取り付け構造においては、固定手段を構成する固定部材３１および移動こま３２の形状が非常に複雑であるため、製作コストが高くつき、しかも、防塵カバー２０の端部を移動こま３２で軸方向に引っ張って該防塵カバー２０に張力を付与するようにしているため、案内レール１の外形寸法への影響が大きくなるという不都合がある。
【００１０】
本発明はこのような不都合を解消するためになされたものであり、簡単な構造で防塵カバーに張力を付与することができるようにして製作コストの低減を図ることができ、しかも、案内レールの外形寸法に与える影響を小さくすることができる直動案内軸受装置を提供することを目的とする。
【００１１】
【課題を解決するための手段】
上記目的を達成するために、請求項１に係る発明は、両側部に転動体転動溝を有して軸方向に延長されると共に、上面から下面まで貫通するボルト挿通孔が軸方向に所定の間隔で複数箇所設けられた案内レールと、該案内レールの前記転動体転動溝に対向する転動体転動溝を有し、これらの両転動体転動溝間に挿入された多数の転動体の転動を介して前記案内レールに案内されて相対移動するスライダと、前記案内レールの上面を軸方向に沿って覆う防塵カバーと、該防塵カバーに張力を付与した状態で前記防塵カバーの端部を前記案内レールの端面に固定する固定手段とを備えた直動案内軸受装置において、
前記案内レールの少なくとも一方の端面側の固定手段が、該案内レールの端面に前記案内レールの軸方向に螺合されるボルトを介して固定される第１の固定こまと、該第１の固定こまと前記案内レールの端面との間に挟持されて前記防塵カバーの端部が連結される第２の固定こまとを備え、前記第１の固定こまと前記第２の固定こまとの互いに対向する面の内の少なくとも第１の固定こま側の面にテーパ面を設けたことを特徴とする。
【００１２】
請求項２に係る発明は、請求項１において、前記ボルトを前記防塵カバーの幅方向に複数設けたことを特徴とする。
【００１３】
【発明の実施の形態】
以下、本発明の実施の形態を図を参照して説明する。
図１は本発明の実施の形態の一例である直動案内軸受装置における防塵カバーの取り付け構造を説明するための案内レールの端部側の斜視図、図２は該案内レールの端部側の側面図、図３〜図５は本発明の他の実施の形態である直動案内軸受装置における防塵カバーの取り付け構造を説明するための案内レールの端部側の側面図である。
【００１４】
なお、各実施の形態共に、図６および図７で説明した従来の直動案内軸受装置に対して案内レールの端部への防塵カバーの取り付け構造が相違するだけであるため、相違する部分についてのみ説明し、重複部分については同一符号を付して説明を省略する。
また、各実施の形態共に、案内レールの一方の端面側の防塵カバーの固定手段として本発明に係る固定手段を採用し、他方の端面側の防塵カバーの固定手段としては、例えば接着剤、両面テープ或いはねじ止め等の従来の一般的な固定手段を採用した場合を例に採るが、案内レールの両方の端面側の防塵カバーの固定手段として本発明に係る固定手段を採用してもよいのは勿論である。
【００１５】
まず、図１および図２を参照して、案内レール１のボルト挿通孔１４を含む上面は防塵カバー２０によって軸方向に沿って覆われており、該防塵カバー２０の端部は本発明に係る固定手段４０によって固定される。
固定手段４０は、防塵カバー２０に張力を付与した状態で該防塵カバー２０の端部を案内レール１の端面に固定するものであり、案内レール１の軸方向に螺合される張力調整ボルト４１を介して該案内レール１の端面に固定される第１の固定こま４２と、該第１の固定こま４２と案内レール１の端面との間に挟持されて防塵カバー２０の端部が連結される第２の固定こま４３とを備えている。
【００１６】
第１の固定こま４２は縦方向の寸法および横方向（案内レールの幅方向）の寸法が案内レールの断面寸法より小さくされた略矩形状の板材であり、その上端部には張力調整ボルト４１のボルト挿通孔４４が幅方向に互いに離間して二カ所形成されている。また、第１の固定こま４２の案内レール１の端面側を向く面は下方に向けて次第に案内レール１の端面から離間する側に傾斜するテーパ面４５とされている。
【００１７】
一方、第２の固定こま４３は、縦方向の寸法が第１の固定こま４２より小さくされ、横方向の寸法が第１の固定こま４２と略同等とされた略矩形状の板材であり、第１の固定こま４２の下端側に対向配置されている。また、第２の固定こま４３の第１の固定こま４２のテーパ面４５側を向く面は下方に向けて次第に案内レール１の端面から離間する側に傾斜するテーパ面４６とされている。
【００１８】
そして、防塵カバー２０の端部を第２の固定こま４３の下方から該第２の固定こま４３に巻き付けることにより、該防塵カバー２０の端部が第２の固定こま４３と案内レール１の端面との間、および第２の固定こま４３のテーパ面４６と第１の固定こま４２のテーパ面４５との間に挟まれるように配置し、この状態で、二本の張力調整ボルト４１をそれぞれ第１の固定こま４２の二つのボルト挿通孔４４および該ボルト挿通孔４４に対応して防塵カバー２０の端部に形成された二つのボルト挿通孔４７（上下に長い長穴でもよい）に通して案内レール１の端面に形成されたタップ穴（図示せず）にねじ込んで締め付けることにより、第１の固定こま４２のテーパ面４５が第２の固定こま４３のテーパ面４６に押圧接触して一種の逆くさび作用により該第２の固定こま４３が下方に移動し、これにより、防塵カバー２０の端部が下方に引っ張られて張力が付与され、案内レール１の上面の防塵カバー２０の弛み等が除去された状態で防塵カバー２０の端部が案内レール１の端面に固定される。
【００１９】
この場合、張力調整ボルト４１の締め付け量を調整することにより、防塵カバー２０に付与する張力を調整することができ、また、第２の固定こま４３に対して防塵カバー２０の端部がまっすぐに取り付けられていない場合は、二つの張力調整ボルト４１の締め付け量を調整することで容易に防塵カバー２０を案内レール１に対して平行に取り付けることができる。
【００２０】
上記の説明から明らかなように、この実施の形態では、固定手段を構成する第１の固定こま４２および第２の固定こま４３の形状が単純な形状であるため、製作コストを低くすることができ、しかも、防塵カバー２０の端部を第２の固定こま４３で下方に引っ張って該防塵カバー２０に張力を付与するようにしているため、案内レール１の外形寸法への影響を小さくすることができる。
【００２１】
また、第１の固定こま４２および第２の固定こま４３の案内レール１の軸方向と垂直な方向の断面形状は案内レール１の断面形状よりも小さくなるように形成されているので、防塵カバー２０を案内レール１に装着した状態においてもスライダ２が第１の固定こま４２および第２の固定こま４３に干渉することはなく、該スライダ２の案内レール１からの抜き差しを自由に行うことができる。
【００２２】
なお、本発明は上記実施の形態に限定されるものではなく、本発明の要旨を逸脱しない範囲で適宜変更可能である。
例えば、図３は第１の固定こま４２と第２の固定こま４３の外形を共通にした例であり、第２の固定こま４３に張力調整ボルト４１が挿通する上下方向に長い長穴４８を形成することにより、防塵カバー２０が万一切れてしまった際に、第２の固定こま４３の脱落を防止することができる。
【００２３】
また、図４は第１の固定こま４２のテーパ面４５をボルト挿通孔４４の上側に配置して防塵カバー２０に穴を開けなくて済むようにした例である。この場合、第２の固定こま４３の縦横比を１でない形状とすることで第２の固定こま４３が回転することなく安定して固定することができる。図５は第１の固定こま４２の幅方向の両側にテーパ面４５の反力を受ける突起４９を形成して第２の固定こま４３および防塵カバー２０の移動を制限した例である。
【００２４】
更に、上記実施の形態では、張力調整ボルト４１を二本用いた場合を例に採ったが、１本の張力調整ボルト４１で防塵カバー２０の張力を調整するようにしてもよい。
更に、防塵カバー２０の端部と第２の固定こま４３との連結は、上述のように防塵カバー２０の端部が第２の固定こま４３と案内レール１の端面との間、および第２の固定こま４３のテーパ面４６と第１の固定こま４２のテーパ面４５との間に挟まれるようにする他、防塵カバー２０の端部と第２の固定こま４３とを接着剤、粘着剤或いは両面テープ等を用いて連結することができ、また、防塵カバー２０の端部を第２の固定こま４３に複数回巻き付けることによって、第２の固定こま４３に対する防塵カバー２０の固定を確実にすることができる。
【００２５】
更に、第１の固定こま４２のテーパ面４５および第２の固定こま４３のテーパ面４６の角度は張力調整ボルト４１のねじピッチや防塵テープ２０の調整長さ（引っ張り長さ）等によって変更可能であり、また、テーパ面４５とテーパ面４６の角度は必ずしも一致しなくてもよい。
更に、第１の固定こま４２および第２の固定こま４３の形状は上記実施の形態のように矩形状にする必要はなく、外形が曲線状のもの等種々の形状を採用することができる。
【００２６】
更に、案内レール１への防塵カバー２０の取り付けを確実なものとするために、接着剤、粘着剤或いは両面テープ等を併用してもよい。
【００２７】
【発明の効果】
上記の説明から明らかなように、請求項１の発明によれば、固定手段を構成する第１の固定こまおよび第２の固定こまの形状が単純な形状で済むため、製作コストを低くすることができ、しかも、防塵カバーの端部を第２の固定こまで下方に引っ張って該防塵カバーに張力を付与するようにしているため、案内レールの外形寸法への影響を小さくすることができる。
【００２８】
請求項２の発明では、請求項１の発明に加えて、第２の固定こまに対して防塵カバーの端部がまっすぐに取り付けられていない場合において、複数の張力調整ボルトの締め付け量を調整することで容易に防塵カバーを案内レールに対して平行に取り付けることができる。
【図面の簡単な説明】
【図１】本発明の実施の形態の一例である直動案内軸受装置における防塵カバーの取り付け構造を説明するための案内レールの端部側の斜視図である。
【図２】案内レールの端部側の側面図である。
【図３】本発明の他の実施の形態である直動案内軸受装置における防塵カバーの取り付け構造を説明するための案内レールの端部側の側面図である。
【図４】本発明の他の実施の形態である直動案内軸受装置における防塵カバーの取り付け構造を説明するための案内レールの端部側の側面図である。
【図５】本発明の他の実施の形態である直動案内軸受装置における防塵カバーの取り付け構造を説明するための案内レールの端部側の側面図である。
【図６】従来の直動案内軸受装置を説明するための一部を破断した斜視図である。
【図７】従来の防塵カバーの取り付け構造を説明するための案内レールの端部側の側断面図である。
【符号の説明】
１…案内レール
２…スライダ
３…転動体転動溝
Ｂ…ボール（転動体）
１４…ボルト挿通孔
２０…防塵カバー
３１…転動体転動溝
４０…固定手段
４１…張力調整ボルト
４２…第１の固定こま
４３…第２の固定こま
４５，４６…テーパ面
【図１】
2004076821.tif 000003
【図２】
2004076821.tif 000004
【図３】
2004076821.tif 000005
【図４】
2004076821.tif 000006
【図５】
2004076821.tif 000007
【図６】
2004076821.tif 000008
【図７】
2004076821.tif 000009